(57)【要約】【課題】デッキプレートへの鉄筋等の配設が、容易かつ確実で、定尺の鉄筋等であっても所定の補強ないし補剛をすることができる鋼製デッキユニットを提供する。【解決手段】鋼製デッキユニット１００は、一方の梁９１と他方の梁９２とにスパン方向のユニット端部１０１、１０２がそれぞれ設置されるものであり、曲げ加工された板金によって形成されたデッキプレート１０と、デッキプレート１０に設置された取り付け治具２０と、取り付け治具２０に取り付けられた鉄筋トラス３０と、を有し、鉄筋トラス３０がデッキプレート１０の長手方向の端部１１、１２から離れた範囲に配置され、鉄筋トラス３０の長さ（Ｔ）がデッキプレートの長さ（Ｐ）の５０〜７０％程度である。【選択図】図３
2014020181.tif 000002
【特許請求の範囲】
【請求項１】
構造物を形成する一方の梁と他方の梁とに長手方向の端部がそれぞれ設置される鋼製デッキユニットであって、
曲げ加工された鋼板によって形成されたデッキプレートと、該デッキプレートに設置された取り付け治具と、該取り付け治具に取り付けられた鉄筋トラスと、を有し、
前記鉄筋トラスが前記デッキプレートの長手方向の端部から離れた範囲に配置され、前記鉄筋トラスの長さが前記デッキプレートの長さの５０〜７０％であることを特徴とする鋼製デッキユニット。
【請求項２】
構造物を形成する互いに平行な一方の横方向梁と他方の横方向梁とに長手方向の端部がそれぞれ設置され、かつ、前記一方の横方向梁および前記他方の横方向梁に対して垂直な長手方向梁に長手方向に平行な側縁部が設置される鋼製デッキユニットであって、前記鉄筋トラスが前記側縁部の近くに配置されることを特徴とする請求項１記載の鋼製デッキユニット。
【請求項３】
前記デッキプレートは、山頂面と、該山頂面に平行な谷底面と、前記山頂面と前記谷底面とを連結する傾斜面とを具備する波状の断面であって、前記傾斜面の前記谷底面に近い位置に前記谷底面と平行に形成された突条と、該突条と前記谷底面との間に形成された凹溝とを具備し、
前記鉄筋トラスは、略鋸歯状に折り曲げられた線材である一対のラチス材と、該一対のラチス材のそれぞれの上端が接合されている上弦材と、前記一対のラチス材のそれぞれの下端が接合されている一対の下弦材とを具備し、
前記取り付け治具は、前記一対の下弦材のそれぞれが係止する一対の治具凹部が形成された治具本体部と、該治具本体部の下端に形成され、互いに離れる方向に突出した一対の治具脚部とを具備し、
前記取り付け治具の一対の治具脚部のそれぞれの先端部が、前記デッキプレートの凹溝のうちの互いに対向した一対の凹溝にそれぞれ侵入し、前記一対の凹溝によって前記一対の治具脚部が互いに近づく方向に把持されていることを特徴とする請求項１または２記載の鋼製デッキユニット。
【発明の詳細な説明】
【技術分野】
【０００１】
本発明は鋼製デッキユニット、特に、デッキプレートと鉄筋トラスとを有する鋼製デッキユニットに関する。
【背景技術】
【０００２】
従来、コンクリートスラブは、鋼板製のデッキプレートにコンクリートが打設されるものであって、コンクリート中には補強ないし補剛のための鉄筋が配設されている。すなわち、コンクリートスラブは構造物の一方の梁と他方の梁との間に設置されるものであって、一方の梁から他方の梁に向かう方向を「スパン方向」と称すると、デッキプレートには、スパン方向の山状部分とスパン方向の谷状部分（溝状部分）とが、スパン方向に垂直な方向で交互に形成され、谷状部分の底が狭くなった略コ字状の波形を呈し、一方、鉄筋は谷状部分にスパン方向と平行に配設されている。
そして、鉄筋の配設を容易にする目的で、所定位置に鉄筋が固定されている鉄筋配設体を設け、鉄筋配設体の下端に支承部を形成して、該支承部をデッキプレートの谷状部分に形成された凹条に係止させた上で、鉄筋配設体を敷き込む発明が開示されている（例えば、特許文献１参照）。
【先行技術文献】
【特許文献】
【０００３】
【特許文献１】実開平５−４２４３２号公報（第４−６頁、図１）
【発明の概要】
【発明が解決しようとする課題】
【０００４】
特許文献１に開示された考案は、主筋配設体（鉄筋配設体）の長さが、デッキプレートの長さ（一方の梁から他方の梁との距離である「スパン長」に同じ）に同じであることから、スパン距離の大きさに応じた主筋配設体を製造する必要があり、主筋配設体の種類が増していた。このため、スパン長の大きさに大きく左右されることなく、共通の所謂「定尺の主筋配設体」によっても、すなわち、デッキプレートの長さよりも短い主筋配設体（鉄筋）によって、所定の補強ないし補剛をすることができる発明が要請されていた。
また、特許文献１に開示された考案は、デッキプレートが、山状部分の山頂面と谷状部分の谷底面とが平行（正確には、それぞれの面の凹凸部を除く平坦面同士が平行）で、山頂面と谷底面とを結ぶ傾斜面の谷底面に近い位置に、スパン方向の凹条が形成されている。また、主筋配設体は、一対のラチス状屈曲鉄筋のそれぞれの上端が主筋に接合され、一対のラチス状屈曲鉄筋のそれぞれの下端が、互いに離れる方向に折り曲げられて支承部を形成している。
そして、凹条に支承部の先端が係止するものであるところ、主筋配設体に線材によって形成され、製作誤差がある。そこで、かかる係止を容易にするために、支承部の先端の凹部への係止量（侵入深さに相当する）を小さくすると、係止が不安点になって、支承部の先端が凹部から離脱することになり、反対に、係止を確実にするために、支承部の先端の凹部への係止量（侵入深さに相当する）を大きくすると、係止させることが困難あるいは不能になるという問題があった。
【０００５】
本発明は、前記要請に応え、前記問題を解決するものであって、デッキプレートへの鉄筋等の配設が、容易かつ確実で、定尺の鉄筋等であっても所定の補強ないし補剛をすることができる鋼製デッキユニットを提供することを目的とする。
【課題を解決するための手段】
【０００６】
（１）本発明に係る鋼製デッキユニットは、構造物を形成する一方の梁と他方の梁とに長手方向の端部がそれぞれ設置される鋼製デッキユニットであって、
曲げ加工された鋼板によって形成されたデッキプレートと、該デッキプレートに設置された取り付け治具と、該取り付け治具に取り付けられた鉄筋トラスと、を有し、
前記鉄筋トラスが前記デッキプレートの長手方向の端部から離れた範囲に配置され、前記鉄筋トラスの長さが前記デッキプレートの長さの５０〜７０％であることを特徴とする。
【０００７】
（２）また、前記（１）において、構造物を形成する互いに平行な一方の横方向梁と他方の横方向梁とに長手方向の端部がそれぞれ設置され、かつ、前記一方の横方向梁および前記他方の横方向梁に対して垂直な長手方向梁に長手方向に平行な側縁部が設置され、前記鉄筋トラスが前記側縁部の近くに配置されることを特徴とする。
【０００８】
（３）前記（１）または（２）において、前記デッキプレートは、山頂面と、該山頂面に平行な谷底面と、前記山頂面と前記谷底面とを連結する傾斜面とを具備する波状の断面であって、前記傾斜面の前記谷底面に近い位置に前記谷底面と平行に形成された突条と、該突条と前記谷底面との間に形成された凹溝とを具備し、
前記鉄筋トラスは、略鋸歯状に折り曲げられた線材である一対のラチス材と、該一対のラチス材のそれぞれの上端が接合されている上弦材と、前記一対のラチス材のそれぞれの下端が接合されている一対の下弦材とを具備し、
前記取り付け治具は、前記一対の下弦材のそれぞれが係止する一対の治具凹部が形成された治具本体部と、該治具本体部の下端に形成され、互いに離れる方向に突出した一対の治具脚部とを具備し、
前記取り付け治具の一対の治具脚部のそれぞれの先端部が、前記デッキプレートの凹溝のうちの互いに対向した一対の凹溝にそれぞれ侵入し、前記一対の凹溝によって前記一対の治具脚部が互いに近づく方向に把持されていることを特徴とする。
【発明の効果】
【０００９】
本発明に係る鋼製デッキユニットは、以下の効果を奏する。
（ｉ）鉄筋トラスがデッキプレートの長手方向の端部から離れた範囲に配置され、前記鉄筋トラスの長さは、スパン長以下の長さで任意に設定可能であり、特に、前記デッキプレートの長さの５０〜７０％程度であるときに、最も効果的である。
したがって、スパン方向の所定の範囲における強度ないし剛性が増すから、デッキプレートに打設されたコンクリートの亀裂発生が抑えられ、かつ、鉄筋トラスの選定の自由度が拡大する。すなわち、予め製造されている「定尺の鉄筋トラス」を、スパン長に応じて切断することなく、前記長さの範囲に納まる限りは、そのまま使用することができる。
（ｉｉ）また、鉄筋トラスが側縁部の近くにおいて、前記デッキプレートの長手方向の端部から離れた範囲に配置され、前記鉄筋トラスの長さが前記デッキプレートの長さの５０〜７０％程度である。したがって、スパン方向に平行な長手方向梁に近い範囲、すなわち長手方向梁によりデッキプレートの撓みが拘束され、コンクリートの打設硬化後に生じる付加曲げモーメントが比較的大きな範囲における強度ないし剛性が増すから、デッキプレートに打設されたコンクリートの亀裂発生が抑えられる。
【００１０】
（ｉｉｉ）さらに、デッキプレートは波状（山頂面に近い程、対向する傾斜面同士の距離が拡大する）略コ字状のジグザク断面であって、傾斜面の谷底面に近い位置に突条と凹溝とを具備し、鉄筋トラスは一対のラチス材と上弦材と一対の下弦材とを具備し、取り付け治具は治具本体部と一対の治具脚部とを具備し、取り付け治具の一対の治具脚部のそれぞれの先端部が、デッキプレートの凹溝に侵入し、一対の凹溝によって一対の治具脚部が互いに近づく方向に把持されている。したがって、鉄筋トラスの製作誤差の大小に関わらず、取り付け治具はデッキプレートの凹溝に確実に把持され、かつ、鉄筋トラスは取り付け治具に取り付けられるから、鉄筋トラスはデッキプレートから離れる（力学的に絶縁される）ことがないから、鉄筋トラスによってデッキプレートは確実に補強ないし補剛される。
【図面の簡単な説明】
【００１１】
【図１】本発明の実施の形態１に係る鋼製デッキユニットの全体を示す正面図。
【図２】図１に示す鋼製デッキユニットの全体を示す平面図。
【図３】図１に示す鋼製デッキユニットの全体を示す側面図。
【図４】図１に示す鋼製デッキユニットの一部（デッキプレート）を示す正面図。
【図５】図１に示す鋼製デッキユニットの一部（鉄筋トラス）を示す正面図と側面図。
【図６】図１に示す鋼製デッキユニットの一部（取り付け治具）を示す平面図、断面図（Ａ−Ａ断面図）、断面図（Ｂ−Ｂ断面図）および側面図。
【図７】図１に示す鋼製デッキユニットにおける取り付け治具のデッキプレートへの設置要領を示す平面図。
【図８】図１に示す鋼製デッキユニットにおける鉄筋トラスの取り付け治具への取り付け要領を示す斜視図。
【図９】図１に示す鋼製デッキユニットにおける鉄筋トラスの効果を示す計算結果。
【図１０】本発明の実施の形態２に係る鋼製デッキユニットの全体を示す正面図。
【図１１】図１０に示す鋼製デッキユニットの全体を示す平面図。
【図１２】図１０に示す鋼製デッキユニットの全体を示す側面図。
【発明を実施するための形態】
【００１２】
［実施の形態１：鋼製デッキユニット］
図１〜図８は本発明の実施の形態１に係る鋼製デッキユニットを説明するものであって、図１は全体を示す正面図、図２は全体を示す平面図、図３は側面図、図４は一部（デッキプレート）を示す正面図、図５の（ａ）は一部（鉄筋トラス）を示す正面図、図５の（ｂ）は一部（鉄筋トラス）を示す側面図、図６の（ａ）、（ｂ）および（ｃ）は一部（取り付け治具）を示す平面図、断面図（Ａ−Ａ断面図）、断面図（Ｂ−Ｂ断面図）および側面図、図７（ａ）および（ｂ）は取り付け治具のデッキプレートへの設置要領を示す平面図、図８は鉄筋トラスの取り付け治具への取り付け要領を示す斜視図、図９は鉄筋トラスの効果を示す計算結果である。
なお、各図は模式的に示すものであって、誇張して描いた部分がある。
【００１３】
（鋼製デッキユニット）
図１〜図３において、鋼製デッキユニット１００は、構造物（図示しない）を形成する一方の梁９１と他方の梁９２とに長手方向（スパン方向に同じ）のユニット端部１０１、１０２がそれぞれ設置されるものである。鋼製デッキユニット１００は、曲げ加工された板金によって形成されたデッキプレート１０と、デッキプレート１０に設置された取り付け治具２０と、取り付け治具２０に取り付けられた鉄筋トラス３０と、を有している。
そして、鉄筋トラス３０がデッキプレート１０の長手方向の端部１１、１２から離れた範囲に配置され、鉄筋トラス３０の長さ（Ｔ）がデッキプレートの長さ（Ｐ）の５０〜７０％程度である（これについては別途詳細に説明する）。
【００１４】
（デッキプレート）
図４において、デッキプレート１０は、それぞれスパン方向に形成された、山頂面１３ａ、１３ｂ（互いに同一面内に位置している）と、山頂面１３ａ、１３ｂに平行な谷底面１４ａ、１４ｂ、１４ｃと、山頂面１３ａと谷底面１４ａとを連結する傾斜面１５ａと、山頂面１３ａと谷底面１４ｂとを連結する傾斜面１５ｂと、山頂面１３ｂと谷底面１４ｂとを連結する傾斜面１５ｃと、山頂面１３ｂと谷底面１４ｃとを連結する傾斜面１５ｄと、を具備している。すなわち、正面視（スパン方向に垂直な断面に同じ）において、山頂面１３ａ、１３ｂに近い程、対向する傾斜面１５ｂと傾斜面１５ｃとの距離が拡大する略コ字状の波状のジグザク形状を呈している。
また、傾斜面１５ａ、１５ｂ、１５ｃ、１５ｄには、それぞれ複数の押圧加工により形成されたエンボス１９ａ、１９ｂ、１９ｃ、１９ｄ（図３にエンボス１９ｄのみを示す）が形成されている。
【００１５】
そして、谷底面１４ａの側縁（傾斜面１５ａの反対側）には、デッキプレート１０同士を接続するための係止部１６ａが形成され、谷底面１４ｃの側縁（傾斜面１５ｄの反対側）には、デッキプレート１０同士を接続するための係止部１６ｂが形成されている。
すなわち、一方のデッキプレート１０の係止部１６ａと他方のデッキプレート１０の係止部１６ｂとが互いに係合することによって、一方のデッキプレート１０の係止部１６ａと他方のデッキプレート１０とを接続することができる。
このとき、一方のデッキプレート１０の傾斜面１５ａおよび谷底面１４ａと、他方のデッキプレート１０の傾斜面１５ｄおよび谷底面１４ｃとによって、上方が広くなった略Ｕ字状の空間（溝）が形成される。また、傾斜面１５ｂと谷底面１４ｂと傾斜面１５ｃとによって形成される上方が広くなった略コ字状の空間（溝）が形成される。
また、係止部１６ａは下方が開口した略Ｊ字状であり、係止部１６ｂは上方が開口した略Ｊ字状であるから、両者が係合した際、当該係合部から、デッキプレート１０上に打設されるコンクリート（図示しない）が流れ出すことがない。
【００１６】
さらに、傾斜面１５ａには谷底面１４ａに近い位置に谷底面１４ａと平行に突条１７ａが形成され、突条１７ａと谷底面１４ａとの間に凹溝１８ａが形成されている。同様に、傾斜面１５ｂには谷底面１４ｂに近い位置に谷底面１４ｂと平行に突条１７ｂが形成され、突条１７ｂと谷底面１４ｂとの間に凹溝１８ｂが形成され、傾斜面１５ｃには谷底面１４ｂに近い位置に谷底面１４ｂと平行に突条１７ｃが形成され、突条１７ｃと谷底面１４ｂとの間に凹溝１８ｃが形成され、傾斜面１５ｄには谷底面１４ｃに近い位置に谷底面１４ｃと平行に突条１７ｄが形成され、突条１７ｄと谷底面１４ｃとの間に凹溝１８ｄが形成されている。
【００１７】
（鉄筋トラス）
図５において、鉄筋トラス３０は、略鋸歯状（ジグザク）に折り曲げられた線材である一対のラチス材４０ａ、４０ｂと、一対のラチス材４０ａ、４０ｂのそれぞれの上端（折り曲げ部に同じ、以下「ラチス材上端」と称す）４３ａ、４３ｂが接合されている上弦材５０と、一方のラチス材４０ａの下端（折り曲げ部に同じ、以下「ラチス材下端」と称す）４４ａが接合されている下弦材６０ａと、他方のラチス材４０ｂの下端（折り曲げ部に同じ、以下「ラチス材下端」と称す）４４ｂが接合されている下弦材６０ｂとを具備し、正面視で略二等辺三角形を呈している。
なお、上弦材５０に、ラチス材４０ａのラチス材端部４１ａ、４２ａおよびラチス材４０ｂのラチス材端部４１ｂ、４２ｂが接続される場合、あるいは、下弦材６０ａにラチス材４０ａのラチス材端部４１ａ、４２ａおよび下弦材６０ｂにラチス材４０ｂのラチス材端部４１ｂ、４２ｂがそれぞれ接続される場合がある。
【００１８】
（取り付け治具）
図６において、取り付け治具２０は、治具天面２２および治具天面２２の両側縁から下方に延設された治具側面２３ａ、２３ｂから形成された断面略Ｕ字状の治具本体部２１と、治具側面２３ａ、２３ｂの下端から互いに離れる方向に突出した治具脚部２７ａ、２７ｂとを具備している。このとき、治具天面２２と治具側面２３ａ、２３ｂとの境界や、治具側面２３ａ、２３ｂと治具脚部２７ａ、２７ｂとの境界は、滑らかな略円弧によって繋がっているが、それぞれの範囲の位置関係を明瞭にするため、図６の（ａ）に実線を記載する。
【００１９】
治具側面２３ａ、２３ｂには、治具切欠２５ａ、２５ｂが形成され、治具切欠２５ａ、２５ｂの上方には治具切欠２５ａ、２５ｂに近づく程、側方への突出量が大きくなる側面上突起２４ａ、２４ｂと、治具切欠２５ａ、２５ｂの下方には治具切欠２５ａ、２５ｂに近づく程、側方への突出量が大きくなる側面下突起２６ａ、２６ｂとが形成されている。
このとき、側面上突起２４ａ、２４ｂの下端と側面下突起２６ａ、２６ｂの上端との間隔は、下弦材６０ｂが侵入自在な大きさになっている。
また、治具脚部２７ａ、２７ｂはそれぞれ治具側面２３ａ、２３ｂから互いに離れる方向に延設され、それぞれ治具側面２３ａ、２３ｂに平行な治具先端縁（先端に同じ）２８ａ、２８ｂと、治具側面２３ａ、２３ｂに対して所定の角度を具備する角盗み縁２９ａ、２９ｂとを具備する。
なお、治具切欠２５ａ、２５ｂはそれぞれ一対だけ形成されているが、本発明はこれに限定するものではなく、それぞれ１個所であってもそれぞれ３個所以上であってもよい。
【００２０】
（取り付け治具のデッキプレートへの設置要領）
図７の（ａ）において、取り付け治具２０の角盗み縁２９ａ、２９ｂが、デッキプレート１０の突条１７ｂ、１７ｃと平行になった状態で、取り付け治具２０の治具脚部２７ａ、２７ｂを、デッキプレート１０の谷底面１４ｂに押し付ける。すなわち、角盗み縁２９ａと角盗み縁２９ｂとの距離が、突条１７ｂと突条１７ｃとの距離よりも小さくなっている。
図７の（ｂ）において、治具脚部２７ａ、２７ｂをデッキプレート１０の谷底面１４ｂに押し付けたまま、取り付け治具２０を回転する。そうすると、取り付け治具２０の治具先端縁２８ａ、２８ｂは、それぞれ凹溝１８ｂ、１８ｃ内に侵入し、凹溝１８ｂ、１８ｃによって、治具脚部２７ａと治具脚部２７ｂ（治具先端縁２８ａと治具先端縁２８ｂに同じ）とが互いに近づく方向に把持され、かつ、突条１７ｂ、１７ｃによって下方に押し付けられる。すなわち、取り付け治具２０の回転初期は、治具先端縁２８ａと角盗み縁２９ａとの交差部、および治具先端縁２８ｂと角盗み縁２９ｂとの交差部が、それぞれ凹溝１８ｂおよび凹溝１８ｃに強く当接（摺動）して、治具側面２３ａ、２３ｂを弾性変形させ、さらに、取り付け治具２０の回転が進んだところで、治具先端縁２８ａ、２８ｂと凹溝１８ｂ、１８ｃとが平行になる。このとき、治具側面２３ａ、２３ｂの弾性変形量は減少するものの、弾性変形した状態であるから、前記のように、取り付け治具２０の治具先端縁２８ａ、２８ｂは、凹溝１８ｂ、１８ｃによって把持される。
したがって、取り付け治具２０は、簡単な操作によって、デッキプレート１０と確実に当接し、互いに力を受け渡すことができる状態になっている。
【００２１】
（鉄筋トラスの取り付け治具への取り付け要領）
図８において、デッキプレート１０（図示しない）に設置された状態の取り付け治具２０に鉄筋トラス３０が取り付けられている。
すなわち、鉄筋トラス３０の下弦材６０ａと下弦材６０ｂとの間隔を広くして、下弦材６０ａ、６０ｂが、取り付け治具２０の治具切欠２５ａ、２５ｂ（図示しない）に侵入している。そして、すなわち、下弦材６０ａ、６０ｂの上側が側面上突起２４ａ、２４ｂ（図示しない）の下端によって支持され、下弦材６０ａ、６０ｂの下側が側面下突起２６ａ、２６ｂ（図示しない）に上端によって、支持されている。
すなわち、ラチス材４０ａ、４０ｂは弾性変形した状態で、治具側面２３ａと治具側面２３ｂとが互いに近づく方向に把持している。したがって、鉄筋トラス３０は、簡単な操作によって、取り付け治具２０と確実に当接し、デッキプレート１０との間で互いに力を受け渡すことができる状態になっている。
【００２２】
（鉄筋トラスの効果）
図９の（ａ）および（ｂ）は鉄筋トラス３０の効果を示す計算結果の一例である。
すなわち、山頂面１３ａ、１３ｂの幅が１８０ｍｍ、山頂面１３ａと山頂面１３ｂとの水平距離が１８０ｍｍ、谷底面１４ａ、１４ｃの幅が６０ｍｍ、谷底面１４ｂの幅が１２０ｍｍであって、山頂面１３ａ、１３ｂと谷底面１４ａ、１４ｂ、１４ｃとの垂直距離（高さ）が５０ｍであるデッキプレート１０（以下「ＱＬ９９−５０−１２」と称す）と、同形状で垂直距離（高さ）を７５ｍに変更したデッキプレート１０（以下「ＱＬ９９−７５−１２」と称す）とについて、鉄筋トラス３０の長さ（Ｔ）をスパン長（Ｌ）よりも短くした場合の、たわみ量を形成している。なお、「ＱＬ９９−５０−１２」および「ＱＬ９９−７５−１２」とも板厚１．２ｍｍの鋼板によって形成されている。
【００２３】
また、鉄筋トラス３０は、上弦材５０は異型鉄筋Ｄ１３（φ１３ｍｍ）、下弦材６０ａ、６０ｂは異型鉄筋Ｄ１０（φ１０ｍｍ）、ラチス材４０が外径５ｍｍの丸鋼、下弦材６０ａ、６０ｂの外径が１０ｍｍ、ラチス材４０の外径が５ｍｍ、トラス高さが８０ｍｍ、ラチス材上端４３ａ、４３ｂ同士の外縁水平距離（ラチス材下端４４ａ、４４ｂ同士の水平距離に相当、図５の（ａ）における「Ｌ」）が７０ｍｍ±５ｍｍ程度である。
図９の（ａ）および（ｂ）において、縦軸は、鉄筋トラス３０が設置されない場合のデッキプレート１０の撓み（δ１）に対する鉄筋トラス３０が設置された場合のデッキプレート１０の撓み（δ３）の比率（δ３／δ１）である「撓み低減率（β）」であり、横軸は、スパン長（Ｌ）に対する鉄筋トラス３０の長さ（Ｔ）に比率（Ｔ／Ｌ）である「トラス長さ比（α）」である。
【００２４】
図９の（ａ）は、スパン方向とは垂直の方向に複数の鋼製デッキユニット１００を連結し、垂直の方向に鉄筋トラス３０を全ての谷底面１４ａ、１４ｂ、１４ｃに設置した場合の計算結果である。「ＱＬ９９−５０−１２」および「ＱＬ９９−７５−１２」は、スパン長さの全長に鉄筋トラス３０を設置した場合（α＝１．０）、それぞれ撓み低減率βが０．４１、０．６０に低減し、スパン長さの半分に鉄筋トラス３０を設置した場合（α＝０．５）、それぞれ撓み低減率βが０．５２、０．７４に低減している。
そして、鉄筋トラス３０を設置する長さがスパン長さの５０％未満（α＜０．５）の範囲では、鉄筋トラス３０の長さが短くなる程、急激に撓み低減率βが減少する（撓みが大きく）。一方、鉄筋トラス３０を設置する長さがスパン長さの５０〜７０％程度の範囲（０．５≦α≦０．７）では、鉄筋トラス３０の長さが長くなる程、撓み低減率βが増加する割合（撓みが減少する割合）が減少し、鉄筋トラス３０を設置する長さがスパン長さの約７０％を超える範囲（０．７＜α）では、撓み低減率βは殆ど増加していない（撓み量が変化しない）。
したがって、スパン長さの５０〜７０％程度の範囲（０．５≦α≦０．７）に、鉄筋トラス３０を設置しておけば、スパン長の全長に鉄筋トラス３０を設置した場合と、遜色のない撓み低減率βを得ることができる。そうすると、短い（軽い）鉄筋トラス３０によって補強ないし補剛効果を得ることができる。また、定尺の鉄筋トラス（例えば、１．５ｍ、２．０ｍ）の中から、スパン長の５０〜７０％程度に相当する長さのものを使用することによって、一定の補強ないし補剛効果を得ることができる。
したがって、鉄筋トラス３０が短尺（軽量）になると共に、スパン長さに合わせた鉄筋トラス３０を製作する必要がなくなるから、鉄筋トラスの裁断加工や取り付け施工が、簡素かつ容易になり製造コストや施工コストが安価になる。
【００２５】
図９の（ｂ）は、スパン方向とは垂直の方向に複数の鋼製デッキユニット１００を連結し、鉄筋トラス３０を谷底面１４ａ、１４ｃに設置した場合、すなわち、１条飛ばしに谷底面１４ａ、１４ｃに設置した場合（谷底面１４ｂに設置しない場合）の計算結果である。
「ＱＬ９９−５０−１２」および「ＱＬ９９−７５−１２」は、スパン長さの全長に鉄筋トラス３０を設置した場合（α＝１．０）、それぞれ撓み低減率βが０．６４、０．８５に低減し、スパン長さの半分に鉄筋トラス３０を設置した場合（α＝０．５）、それぞれ撓み低減率βが０．７８、０．８１に低減している。すなわち、全ての谷底面１４ａ等に鉄筋トラス３０を設置した場合（図９の（ａ））に比較すると、撓み低減率βの値は小さくなっているが、トラス長さ比（α）と撓み低減率βとの関係は図９の（ａ）に同じである。
【００２６】
すなわち、鉄筋トラス３０を設置する長さがスパン長さの約５０％未満（α＜０．５）の範囲では、鉄筋トラス３０の長さが短くなる程、急激に撓み低減率βが減少し、鉄筋トラス３０を設置する長さがスパン長さの５０〜７０％程度の範囲（０．５≦α≦０．７）では、鉄筋トラス３０の長さが長くなる程、撓み低減率βが増加する割合（撓みが減少する割合）が減少し、鉄筋トラス３０を設置する長さがスパン長さの約７０％を超える範囲（０．７＜α）では、撓み低減率βは殆ど増加していない（撓み量が変化しない）。したがって、スパン長さの５０〜７０％程度の範囲（０．５≦α≦０．７）に、鉄筋トラス３０を設置しておけば、スパン長の全長に鉄筋トラス３０を設置した場合と、遜色のない撓み低減率βを得ることができる。
なお、以上は、板厚が１．２ｍｍのデッキプレート１０についての計算結果を示しているが、デッキプレート１０の板厚は、例えば、１．０ｍｍや１．６ｍｍ等様々であり、板厚に関わらず、スパン長さの約５０〜約７０％の範囲（０．５≦α≦０．７）に、鉄筋トラス３０を設置しておけば、スパン長の全長に鉄筋トラス３０を設置した場合と、遜色のない撓み低減率βを得ることができる。また、鉄筋トラスの形状もこれに限定されるものではなく、適宜設計変更することができるものである。
【００２７】
［実施の形態２：鋼製デッキユニット］
図１０〜図１２は本発明の実施の形態２に係る鋼製デッキユニットを説明するものであって、図１０は全体を示す正面図、図１１は全体を示す平面図、図１２は側面図である。なお、実施の形態１と同じ部分または相当する部分には同じ符号を付し、一部の説明を省略する。また、各図は模式的に示すものであって、誇張して描いた部分がある。
【００２８】
（鋼製デッキユニット）
図１０〜図１２において、鋼製デッキユニット２００は、スパン方向とは垂直の方向に、鋼製デッキユニット１００（実施の形態１）とデッキプレート１０（鉄筋トラス３０が設置されていない）とが連結されたものである。
すなわち、構造物（図示しない）を形成する一方の梁９１と他方の梁９２とを長手方向（スパン方向に同じ）とすると、長手方向（スパン方向と同じ）に平行に、一対の長手方向梁９３、９４が設けられている。そして、長手方向梁９３、９４に近い範囲に鋼製デッキユニット１００（例えば、２枚）が配置され、長手方向梁９３側に配置された鋼製デッキユニット１００と、長手方向梁９４側に配置された鋼製デッキユニット１００との間にデッキプレート１０が配置され、それぞれ接続されている。
【００２９】
例えば、デッキプレート１０の谷底面１４ａを長手方向梁９３に載置すると、長手方向梁９３によって全長が支持された谷底面１４ａと、長手方向梁９３によって直接支持されていない谷底面１４ｂとでは、剛性が大きく相違する。このため、長手方向梁９３に鋼製デッキユニット２００を構成する鋼製デッキユニット１００の一部を、長手方向梁９３に載置することによって、谷底面１４ａ（長手方向梁９３によって支持されている）と谷底面１４ｂ（鉄筋トラス３０が設置されている）との剛性の差を緩和している。
そうすると、谷底面１４ａに打設されたコンクリートと谷底面１４ｂに打設されたコンクリートとの間で変形量の差が緩和され、コンクリート表面にヒビ割れ（亀裂）の発生が押さえられる。
また、長手方向梁９３、９４の影響が少ない、長手方向梁９３、９４から離れた中央範囲には、デッキプレート１０が設置されているから、全域を鋼製デッキユニット１００によって形成した場合に比較して、製造コストや施工コストが安価になっている。
なお、図１０〜図１２では、長手方向梁９３に近い位置に２枚の鋼製デッキユニット１００が設置されているから、長手方向梁９３に最も近い位置に配置された鋼製デッキユニット１００の谷底面１４ｂに鉄筋トラス３０が設置されると共に、長手方向梁９３に最も近い位置に配置された鋼製デッキユニット１００の谷底面１４ｃと、その隣に連結された鋼製デッキユニット１００の谷底面１４ａとに跨がって鉄筋トラス３０が設置されている。なお、鉄筋トラス３０の設置形態は、図示するものに限定するものではなく、１条であっても３条以上であってもよく、また、谷底面１４ｂ等を１条飛ばして設置してもよいし、異なる長さの鉄筋トラスを設置してもよい。
【産業上の利用可能性】
【００３０】
本発明は以上の構成であるから、デッキプレートへの鉄筋等の配設が、容易かつ確実で、定尺の鉄筋等であっても所定の補強ないし補剛をすることができるから、各種大きさや各種形態の鋼製デッキユニットとして広く利用することができる。
【符号の説明】
【００３１】
１０   デッキプレート
１１   端部
１２   端部
１３ａ 山頂面
１３ｂ 山頂面
１４ａ 谷底面
１４ｂ 谷底面
１４ｃ 谷底面
１５ａ 傾斜面
１５ｂ 傾斜面
１５ｃ 傾斜面
１５ｄ 傾斜面
１６ａ 係止部
１６ｂ 係止部
１６ｄ 開口窓
１７ａ 突条
１７ｂ 突条
１７ｃ 突条
１７ｄ 突条
１８ａ 凹溝
１８ｂ 凹溝
１８ｃ 凹溝
１８ｄ 凹溝
１９ａ エンボス
１９ｂ エンボス
１９ｃ エンボス
１９ｄ エンボス
２０   取り付け治具
２１   治具本体部
２２   治具天面
２３ａ 治具側面
２３ｂ 治具側面
２４ａ 側面上突起
２４ｂ 側面上突起
２５ａ 治具切欠
２５ｂ 治具切欠
２６ａ 側面下突起
２６ｂ 側面下突起
２７ａ 治具脚部
２７ｂ 治具脚部
２８ａ 治具先端縁
２８ｂ 治具先端縁
２９ａ 角盗み縁
２９ｂ 角盗み縁
３０   鉄筋トラス
４０ａ ラチス材
４０ｂ ラチス材
４１ａ ラチス材端部
４１ｂ ラチス材端部
４２ａ ラチス材端部
４２ｂ ラチス材端部
４３ａ ラチス材上端
４３ｂ ラチス材上端
４４ａ ラチス材下端
４４ｂ ラチス材下端
５０   上弦材
６０ａ 下弦材
６０ｂ 下弦材
９１   梁
９２   梁
９３   長手方向梁
９４   長手方向梁
１００  鋼製デッキユニット（実施の形態１）
１０１  ユニット端部
１０２  ユニット端部
２００  鋼製デッキユニット（実施の形態２）
【図１】
2014020181.tif 000003
【図２】
2014020181.tif 000004
【図３】
2014020181.tif 000005
【図４】
2014020181.tif 000006
【図５】
2014020181.tif 000007
【図６】
2014020181.tif 000008
【図７】
2014020181.tif 000009
【図８】
2014020181.tif 000010
【図９】
2014020181.tif 000011
【図１０】
2014020181.tif 000012
【図１１】
2014020181.tif 000013
【図１２】
2014020181.tif 000014